(57)【要約】【課題】広帯域対応のＩＰ電話端末からカラオケ配信サーバシステムに接続することにより、カラオケ専用機器無しでも容易にカラオケを楽しむことを可能とする。【解決手段】音響ストリーム受信制御部４は、インターネット２００を経て、サーバ３１に接続することにより、広帯域音声情報によりカラオケ曲の音響ストリーム情報の配信を受け、ＣＯＤＥＣの回路やプログラムなどによりデコードしスピーカＳから再生出力する。歌詞ストリーム受信制御部５は、サーバ３１からインターネット２００を経て、カラオケ曲に対応して配信される連続した歌詞情報を受信及びデコードし、音響ストリーム情報の進行に合わせて表示部Ｄに順次表示する。また、映像ストリーム受信制御部６は、サーバ３１からインターネット２００を経て、カラオケ曲に対応して配信された映像ストリームの情報を受信及びデコードし、前記音響ストリーム情報の進行と並行して前記表示部に表示する。【選択図】図１
2006201272.tif 000002
【特許請求の範囲】
【請求項１】
広帯域音声情報を利用可能な広帯域対応型のＩＰ電話端末において、
ＩＰネットワークとの通信を行う通信部と、
情報の記憶部と、音響の出力部及び入力部と、
前記各部を用いた情報処理を行う制御部と、
前記制御部により、前記ＩＰネットワークを経て、所定のカラオケ配信サーバシステムに接続することにより、前記広帯域音声情報によりカラオケ曲の音響ストリーム情報の配信を受け、デコード用回路又はプログラムによりデコードするとともに前記出力部から再生するカラオケ再生手段と、
を備えたことを特徴とするＩＰ電話端末。
【請求項２】
情報の表示部と、
前記制御部により、前記カラオケ配信サーバシステムから前記ＩＰネットワークを経て、前記カラオケ曲に対応して配信される連続した歌詞情報を受信するとともに、前記音響ストリーム情報の進行に合わせて前記表示部に順次表示する歌詞表示手段と、
を備えたことを特徴とする請求項１記載のＩＰ電話端末。
【請求項３】
前記制御部により、前記カラオケ配信サーバシステムから前記ＩＰネットワークを経て、前記カラオケ曲に対応して配信された映像ストリームの情報を受信及びデコード用回路又はプログラムによりデコードするとともに、前記音響ストリーム情報の再生と並行して前記表示部に表示する映像受信手段
を備えたことを特徴とする請求項１又は２記載のＩＰ電話端末。
【請求項４】
広帯域音声情報を伝送処理可能な広帯域対応型のカラオケ配信サーバシステムにおいて、
ＩＰネットワークとの通信を行う通信部と、配信対象の情報を含む情報の記憶部と、前記各部を用いた情報処理を行う制御部と、
前記制御部により、前記ＩＰネットワークを経て、広帯域音声情報を利用可能な広帯域対応型のＩＰ電話端末に対して、カラオケ曲について広帯域音声情報による音響ストリーム情報を配信する配信手段と、
前記制御部により、前記ＩＰ電話端末からカラオケ曲の選択を受け付けるとともに、前記選択に応じて、前記配信の対象とする前記カラオケ曲を切り替える曲選択制御手段と、
を備えたことを特徴とするカラオケ配信サーバシステム。
【請求項５】
前記制御部により、前記ＩＰネットワークを経て前記ＩＰ電話端末に対して、前記カラオケ曲に対応する所定の歌詞情報を配信する歌詞配信手段
を備えたことを特徴とする請求項４記載のカラオケ配信サーバシステム。
【請求項６】
前記制御部により、前記ＩＰネットワークを経て前記ＩＰ電話端末に対して、前記カラオケ曲に対応する背景の映像ストリームを配信する映像配信手段
を備えたことを特徴とする請求項４又は５記載のカラオケ配信サーバシステム。
【請求項７】
前記制御部により、前記ＩＰネットワークを経て前記ＩＰ電話端末に対して、広告の映像ストリームを配信する広告配信手段
を備えたことを特徴とする請求項４から６のいずれか一項に記載のカラオケ配信サーバシステム。
【請求項８】
前記制御部により、前記ＩＰ電話端末から利用者のグループの作成とグループへの参加を受け付けるととともに、同じ前記グループに参加している各ＩＰ電話端末に対して、少なくとも前記音響配信手段に同じカラオケ曲の前記音響ストリーム情報を配信させる、グループ管理手段
を備えたことを特徴とする請求項４から７のいずれか一項に記載のカラオケ配信サーバシステム。
【請求項９】
前記制御部により、前記カラオケ曲の配信中、前記同じグループに参加している各ＩＰ電話端末から歌声の広帯域音声情報による各上り音声信号を受信するとともに、その各上り音声信号を、広帯域音声情報によるカラオケ曲の前記音響ストリーム情報を含む下り音声信号に多重ミキシングして前記各ＩＰ電話端末に再配信する手段
を備えたことを特徴とする請求項８記載のカラオケ配信サーバシステム。
【請求項１０】
前記制御部により、ＩＰ電話端末から、広帯域音声情報による上り音声信号を受信するとともに、その上り音声信号を、又はその上り音声信号と広帯域音声情報によるカラオケ曲の前記音響ストリーム情報とを多重ミキシングした音声信号を録音する録音手段
を備えたことを特徴とする請求項４から９のいずれか一項に記載のカラオケ配信サーバシステム。
【請求項１１】
どの利用者のＩＰ電話端末へどのカラオケ曲を配信したかの履歴を互いに関連付けて記録するとともに、前記履歴に基づいてカラオケ利用の課金処理を行う課金処理手段
を備えたことを特徴とする請求項４から１０のいずれか一項に記載のカラオケ配信サーバシステム。
【発明の詳細な説明】
【技術分野】
【０００１】
本発明は、広帯域対応のＩＰ電話端末からカラオケ配信サーバシステムに接続することにより、カラオケ専用機器無しでも容易にカラオケを楽しめる技術に関する。
【背景技術】
【０００２】
近年、アナログ固定式一般加入電話の普及が一巡後、パーソナルコンピュータ（パソコン）、携帯電話、インターネットなどのデジタル通信技術の普及発達が進み、いわゆるインターネット電話でも音質安定など（例えば、特許文献１参照）技術的工夫が行われている。
【０００３】
また、技術の応用分野として、代表的娯楽となったカラオケにおいても、媒体をセットするタイプのものから、通信により伴奏データの配信を受けるタイプが普及している。したがって、本出願人は、遠隔地の相手と一緒にカラオケを楽しむという着想を得た。
【特許文献１】特開平９−１７２４５９
【発明の開示】
【発明が解決しようとする課題】
【０００４】
しかし、一口に通信と言っても、手軽さで優れるアナログ式の一般加入電話類や携帯電話類など従来の電話では、利用可能な帯域がきわめて狭く、音質も劣るため、カラオケには不向きであった。一方、ストリーミング配信などインターネットによる音楽配信サービスも試みられているが、パソコンや再生ソフトウェアなどの各種設定はわかりづらく複雑な面が否めない。
【０００５】
このため、従来の実態としては、カラオケを楽しむにはカラオケ店など専用機器のある施設へ行くか、専用機器を自宅へ導入することが不可欠であり、互いに遠隔地にいる者同士でカラオケを一緒に楽しむことはますますもって不可能であった。
【０００６】
本発明は、上記のような従来技術の課題を解決するもので、その目的は、広帯域対応のＩＰ電話端末からカラオケ配信サーバシステムに接続することにより、カラオケ専用機器無しでも容易にカラオケを楽しめる技術を提供することである。また、本発明の他の目的は、遠隔地同士で一緒にカラオケを楽しめる技術を提供することである。
【課題を解決するための手段】
【０００７】
〔基本的態様〕…請求項１、４
上記の目的を達成するため、本発明の一態様は、広帯域音声情報を利用可能な広帯域対応型のＩＰ電話端末において、ＩＰネットワークとの通信を行う通信部と、情報の記憶部と、音響の出力部及び入力部と、前記各部を用いた情報処理を行う制御部と、前記制御部により、前記ＩＰネットワークを経て、所定のカラオケ配信サーバシステムに接続することにより、前記広帯域音声情報によりカラオケ曲の音響ストリーム情報の配信を受け、デコードし前記出力部から再生するカラオケ再生手段と、を備えたことを特徴とする。
【０００８】
本発明の他の一態様は、広帯域音声情報を伝送処理可能な広帯域対応型のカラオケ配信サーバシステムにおいて、ＩＰネットワークとの通信を行う通信部と、配信対象の情報を含む情報の記憶部と、前記各部を用いた情報処理を行う制御部と、前記制御部により、前記ＩＰネットワークを経て、広帯域音声情報を利用可能な広帯域対応型のＩＰ電話端末に対して、カラオケ曲について広帯域音声情報による音響ストリーム情報を配信する配信手段と、前記制御部により、前記ＩＰ電話端末からカラオケ曲の選択を受け付けるとともに、前記選択に応じて、前記配信の対象とする前記カラオケ曲を切り替える曲選択制御手段と、を備えたことを特徴とする。
【０００９】
このように、広帯域音声情報の処理が可能なＩＰ電話端末とカラオケ配信サーバシステムを用いることにより、利用者はカラオケ専用機器を使用することなく、カラオケ配信サーバに電話を掛けるなどの操作だけで、高音質かつ最新のカラオケ音響を活用して、いつでもどこでも手軽にカラオケを楽しむことが可能となる。
【００１０】
〔歌詞の配信と表示〕…請求項２、５
本発明の他の一態様は、上記態様のＩＰ電話端末において、情報の表示部と、前記制御部により、前記カラオケ配信サーバシステムから前記ＩＰネットワークを経て、前記カラオケ曲に対応して配信される連続した歌詞情報を受信するとともに、前記音響ストリーム情報の進行に合わせて前記表示部に順次表示する歌詞表示手段と、を備えたことを特徴とする。
【００１１】
本発明の他の一態様は、上記態様のカラオケ配信サーバシステムにおいて、前記制御部により、前記ＩＰネットワークを経て前記ＩＰ電話端末に対して、前記カラオケ曲に対応する所定の歌詞情報を配信する歌詞配信手段を備えたことを特徴とする。
【００１２】
このように、ＩＰ電話端末において曲の歌詞も受信しカラオケ音響に合わせて表示することにより、カラオケ専用機器を使用することなく、歌詞を見ながらスムースに歌う本格的なカラオケを楽しむことができる。
【００１３】
〔映像の配信と表示〕…請求項３、６
本発明の他の一態様は、上記各態様のＩＰ電話端末において、前記制御部により、前記カラオケ配信サーバシステムから前記ＩＰネットワークを経て、前記カラオケ曲に対応して配信された映像ストリームの情報を受信及びデコード用回路又はプログラムによりデコードするとともに、前記音響ストリーム情報の進行と並行して前記表示部に表示する映像受信手段を備えたことを特徴とする。
【００１４】
本発明の他の一態様は、上記各態様のカラオケ配信サーバシステムにおいて、前記制御部により、前記ＩＰネットワークを経て前記ＩＰ電話端末に対して、前記カラオケ曲に対応する背景の映像ストリームを配信する映像配信手段を備えたことを特徴とする。
【００１５】
このように、ＩＰ電話端末において背景などの映像も受信しカラオケ音響と並行して表示することにより、カラオケ専用機器を使用することなく、イメージを膨らませ曲を引き立たせる本格的なカラオケを楽しむことができる。
【００１６】
〔広告の配信〕…請求項７
本発明の他の一態様は、上記各態様のカラオケ配信サーバシステムにおいて、前記制御部により、前記ＩＰネットワークを経て前記ＩＰ電話端末に対して、広告の映像ストリームを配信する広告配信手段を備えたことを特徴とする。
【００１７】
このように、ＩＰ電話端末にカラオケとともに広告を配信することにより、広告収入でカラオケ利用料を割引や無料にしたり、カラオケ曲と関連する広告の効果的配信も可能となる。
【００１８】
〔グループによるカラオケ〕…請求項８
本発明の他の一態様は、上記各態様のカラオケ配信サーバシステムにおいて、前記制御部により、前記ＩＰ電話端末から利用者のグループの作成とグループへの参加を受け付けるととともに、同じ前記グループに参加している各ＩＰ電話端末に対して、少なくとも前記音響配信手段に同じカラオケ曲の前記音響ストリーム情報を配信させる、グループ管理手段を備えたことを特徴とする。
【００１９】
このように、同じグループに参加している各ＩＰ電話端末へ、同じ音声や映像を配信することにより、カラオケ専用機器が不要なことに加え、各端末の利用者は互いに遠隔地にいても、一堂に会するのと同様にカラオケを楽しむことが可能となる。
【００２０】
〔グループにおけるミキシング〕…請求項９
本発明の他の一態様は、上記態様のカラオケ配信サーバシステムにおいて、前記制御部により、前記カラオケ曲の配信中、前記同じグループに参加している各ＩＰ電話端末から歌声の広帯域音声情報による各上り音声信号を受信するとともに、その各上り音声信号を、広帯域音声情報によるカラオケ曲の前記音響ストリーム情報を含む下り音声信号に多重ミキシングして前記各ＩＰ電話端末に再配信する手段を備えたことを特徴とする。
【００２１】
このように、同じグループに参加して同じカラオケ曲を楽しんでいる各ＩＰ電話端末について、広帯域音声情報により、各利用者の歌声など上り音声をカラオケ曲の下り音声に多重ミキシングし再配信することにより、デュエットやパート別の合唱を容易に楽しむことが可能となり、笑い声、物音や、息遣いなども伝わるので、各利用者が互いに遠隔地にいても、臨場感溢れるカラオケを一緒に楽しむことが可能となる。
【００２２】
〔録音〕…請求項１０
本発明の他の一態様は、上記各態様のカラオケ配信サーバシステムにおいて、前記制御部により、ＩＰ電話端末から、広帯域音声情報による上り音声信号を受信するとともに、その上り音声信号を、又はその上り音声信号と広帯域音声情報によるカラオケ曲の前記音響ストリーム情報とを多重ミキシングした音声信号を録音する録音手段を備えたことを特徴とする。
【００２３】
このように、ＩＰ電話端末からの歌声をサーバ上に録音して保存できることにより、自分で聴き直して練習に役立てたり、後刻、所望の相手に聴いてもらったり、皆で品評するなど、通常のカラオケを超えて、ネット上のデジタル音声利用による利点を活かした多様な楽しみ方が可能となる。
【００２４】
〔課金処理〕…請求項１１
本発明の他の一態様は、上記各態様のカラオケ配信サーバシステムにおいて、どの利用者のＩＰ電話端末へどのカラオケ曲を配信したかの履歴を互いに関連付けて記録するとともに、前記履歴に基づいてカラオケ利用の課金処理を行う課金処理手段を備えたことを特徴とする。
【００２５】
このように、利用者と配信した曲を記録し利用料の課金処理を行うことにより、必要な費用や適正な利潤を容易に効率よく確保することが可能となる。
【発明の効果】
【００２６】
以上のように、本発明によれば、広帯域対応のＩＰ電話端末からカラオケ配信サーバシステムに接続することにより、カラオケ専用機器無しでも容易にカラオケを楽しむことが可能となる。
【発明を実施するための最良の形態】
【００２７】
次に、本発明を実施するための複数の最良の実施形態について図に沿って説明する。なお、背景技術や課題での説明と共通の前提事項は繰り返さない。
【００２８】
〔第１実施形態〕
第１実施形態は、基本的な形態で、図１はその構成図、図２はサーバの詳細図、図３、４、５は動作フロー例であり、以下に説明する。
【００２９】
〔１−１．第１実施形態の構成〕
第１実施形態は、図１に示すように、カラオケ配信サーバシステム（以下単に「サーバ」とも呼ぶ）３１からＩＰ電話端末（以下単に「端末」とも呼ぶ）１へ、カラオケ曲の音響ストリーム情報を配信する例で、サーバ３１と端末１はＩＰ電話の通話接続サービスにおいては、ＩＰネットワークであるインターネット２００を経て、ＳＩＰなどを用いるＩＰ電話サーバ１００からＩＰ電話サービスの提供を受ける側の立場にある。
【００３０】
〔１−１−１．端末の構成〕
より具体的には、端末１は、広帯域音声情報を利用可能な広帯域対応型のＩＰ電話端末で、例えばパーソナルコンピュータのように、ＩＥＥＥ８０２．３のＬＡＮケーブルなどによりハブやルータ、モデムなどを経てインターネットに接続する態様が考えられる。この端末１は、インターネット２００との通信を行う図示しない通信部と、ＩＰ電話の呼制御を行う呼制御部２と、情報の表示部Ｄ及び図示しない記憶部を備える。他にフラッシュメモリカードなど着脱式媒体による媒体記憶部Ｒを設け、お気に入りの曲やユーザＩＤなどの情報を格納するようにしてもよい。また、端末１は、音響の出力部である受話器や外付けなどのスピーカＳと、前記各部を用いた情報処理を行うＣＰＵなどの図示しない制御部と、を備える。この制御部はプログラムにより以下のような各機能部を実現する。
【００３１】
まず、音響ストリーム受信制御部４は、前記制御部により、インターネット２００を経て、サーバ３１に接続することにより、広帯域音声情報によりカラオケ曲の音響ストリーム情報の配信を受け、ＣＯＤＥＣの回路やプログラムなどによりデコードしスピーカＳから再生出力するカラオケ再生手段である。
【００３２】
歌詞ストリーム受信制御部５は、サーバ３１からインターネット２００を経て、カラオケ曲に対応して配信される連続した歌詞情報を受信及びデコードし、音響ストリーム情報の進行に合わせて表示部Ｄに順次表示する歌詞表示手段である。
【００３３】
また、映像ストリーム受信制御部６は、サーバ３１からインターネット２００を経て、カラオケ曲に対応して配信された映像ストリームの情報を受信及びデコードし、前記音響ストリーム情報の進行と並行して前記表示部に表示する映像受信手段である。
【００３４】
〔１−１−２．サーバの構成〕
上記のような端末１に対応するサーバ３１は、広帯域音声情報を伝送処理可能な広帯域対応型のカラオケ配信サーバシステムで、インターネット２００との通信を行う図示しない通信部と、ＩＰ電話の呼制御を行う呼制御部３０２と、図示はしないが、配信対象の情報を含む情報の記憶部と、前記各部を用いた情報処理を行う制御部と、を備える。この制御部はプログラムにより以下のような各機能部を実現する。
【００３５】
まず、音響ストリーム送信制御部３０４は、インターネット２００を経て、広帯域音声情報を利用可能な広帯域対応型のＩＰ電話端末１に対して、カラオケ曲について広帯域音声情報による音響ストリーム情報を配信する配信手段である。また、曲選択制御部３０３は、ＩＰ電話端末１からカラオケ曲の選択を受け付けるとともに、前記選択に応じて、前記配信の対象とする前記カラオケ曲を切り替える曲選択制御手段である。
【００３６】
また、歌詞ストリーム送信制御部３０５は、インターネット２００を経てＩＰ電話端末１に対して、カラオケ曲に対応する所定の歌詞情報を配信する歌詞配信手段である。また、サーバ３１は、図１でサーバ３１に示す各映像送信部として、具体的には（図２）、背景映像ストリーム送信制御部３０６と、広告映像ストリーム送信制御部３０７を持ち、映像ミキシング制御部３０８と、を備え、このうち背景映像ストリーム送信制御部３０６は、インターネット２００を経てＩＰ電話端末１に対して、カラオケ曲に対応する背景の映像ストリームを配信する映像配信手段であり、広告映像ストリーム送信制御部３０７は、インターネット２００を経てＩＰ電話端末１に対して、広告の映像ストリームを配信する広告配信手段である。
【００３７】
〔１−２．第１実施形態の作用〕
上記のように構成された第１実施形態において、利用者は、音響データを受信してカラオケを利用したいときは、所定の電話番号などの識別情報によりサーバ３１に端末１から電話を掛ける。この発信操作を受けて、端末１の呼制御部２から発信した呼（こ）は、インターネット２００を介し、ＩＰ電話サービスを提供する事業者のＩＰ電話サーバ１００を経由して、サーバ３１の呼制御部３０２に着信し、通話路の接続を行なう。
【００３８】
続いて利用者は、所定の操作画面や音声ガイダンスなどにより、歌いたいカラオケ曲すなわち音響データを選択すると、サーバ３１の曲選択制御部３０３がこの選択を受け付けるとともに、該当する音響データ、歌詞データを選択する。
【００３９】
なお、配信するこれらのデータは図示しない記憶部（例えば、ハードディスクドライブ）などに予め格納しておく。伝送時には圧縮形式が望ましいが、圧縮は、音響データに対し予め施しておいてもよいし、送信時に行ってもよい。
【００４０】
そして、選択された音響データについては音響ストリーム送信制御部３０４が、端末１の音響ストリーム受信制御部４へ音響ストリームとして配信し、選択された歌詞データについては歌詞ストリーム送信制御部３０５が、端末１の歌詞ストリーム受信制御部５へ歌詞ストリームとして配信する。
【００４１】
また、利用者が曲の選択にあたり、背景の有無、広告の有無を選択することにより、サーバ３１の曲選択制御部３０３が、選択された背景データと歌詞データは背景映像ストリーム送信制御部３０６からの出力とし、広告データは広告映像ストリーム送信制御部３０７からの出力とし、これら出力の映像を映像ミキシング制御部３０８がレイヤー重ね合せ処理などによりミキシングし、端末１の映像ストリーム受信制御部６へ映像ストリームとして配信する。広告有りを選べば広告主の負担によりカラオケ利用料金が割引や無料などのインセンティブが考えられる。
【００４２】
端末１の側では、受信した音響ストリームは、音響ストリーム受信制御部４が、スピーカＳ等から出力し、受信した歌詞ストリームと映像ストリームは、映像ストリーム受信制御部６が重ね合わせ処理などにより表示部Ｄに表示する。このように、利用者はサーバ３１から配信された各ストリームを使用してカラオケを行なうことができる。
【００４３】
以上のような処理を、音響ストリーム送信について示すと、図３のフローチャートのように、通話路設定完了後（ステップ０１）、曲の選択に応じ（ステップ０２）、音響ストリームの送信を（ステップ３４）、曲の終了（ステップ０７）又は通話の終了（ステップ０８）まで続ける。歌詞ストリームについても同様であり（図４）、映像ストリームについては（図５）、ミキシングのうえ（ステップ５３）送信（ステップ５４）となる。
【００４４】
〔１−３．第１実施形態の効果〕
以上のように、第１実施形態では、広帯域音声情報の処理が可能なＩＰ電話端末とカラオケ配信サーバシステムを用いることにより、利用者はカラオケ専用機器を使用することなく、カラオケ配信サーバに電話を掛けるなどの操作だけで、高音質かつ最新のカラオケ音響を活用して、いつでもどこでも手軽にカラオケを楽しむことが可能となる。
【００４５】
また、第１実施形態では、ＩＰ電話端末において曲の歌詞も受信しカラオケ音響に合わせて表示することにより、カラオケ専用機器を使用することなく、歌詞を見ながらスムースに歌う本格的なカラオケを楽しむことができる。
【００４６】
また、第１実施形態では、ＩＰ電話端末において背景などの映像も受信しカラオケ音響と並行して表示することにより、カラオケ専用機器を使用することなく、イメージを膨らませ曲を引き立たせる本格的なカラオケを楽しむことができる。
【００４７】
また、第１実施形態では、ＩＰ電話端末にカラオケとともに広告を配信することにより、広告収入でカラオケ利用料を割引や無料にしたり、カラオケ曲と関連する広告の効果的配信も可能となる。例えば、クリスマスや旅行の関連曲群の背景に、アクセサリーやパック旅行商品の広告を入れるなどである。
【００４８】
〔２．第２実施形態〕…グループによるカラオケ
第２実施形態は、複数の利用者があたかも同じ場所にいるように、同じサーバを通じて互いの音声を聞くこともできる例で、図６が構成図、図７がサーバの詳細図、図８が動作フロー例を示す。
【００４９】
〔２−１．第２実施形態の構成〕
第２実施形態では、図６に示すように、端末Ａ１、Ｂ５０１は入力部であるマイクロフォン（以下「マイク」と呼ぶ）Ｍを備え、サーバ３２の制御部はグループ管理制御部３３０の機能を実現する。このグループ管理制御部３３０は、ＩＰ電話端末Ａ１、Ｂ５０１から利用者のグループの作成とグループへの参加を受け付けるととともに、同じグループに参加している各ＩＰ電話端末Ａ１、Ｂ５０１に対して、少なくとも前記音響配信手段などに同じカラオケ曲の音響ストリーム情報などを配信させる、グループ管理手段である。
【００５０】
また、図７に示す音声ミキシング制御部３２０は、前記制御部により、カラオケ曲の配信中、同じグループに参加している各端末Ａ１、Ｂ５０１から歌声の広帯域音声情報による各上り音声信号を受信するとともに、その各上り音声信号を、広帯域音声情報によるカラオケ曲の音響ストリーム情報を含む下り音声信号に多重ミキシングして各端末Ａ１、Ｂ５０１に再配信する手段である。
【００５１】
〔２−２．第２実施形態の作用〕
第２実施形態における処理手順を図８のフローチャートに示す。
〔２−２−１．グループの登録・参加と曲選択〕
第２実施形態では、各端末Ａ１、Ｂ５０１からサーバ３２への接続までは第１実施形態と同様であるが（ステップ８１）、各利用者はグループの登録やグループへの参加を行うことができる。グループの作り方は自由で、各ユーザが自由に作ったり名称や番号を決めて保存したり、ウェブサイトで一覧表示したり参加者を公募できるほか、システム運営者側で特定テーマの既成グループを用意してもよい。利用者の設定により、利用中又は保存してあるグループにパスワードをかけて第三者の入室（参加）を制限するようにしてもよい。
【００５２】
例えば、利用者Ａがグループを登録後（ステップ８２）、同じサーバへ接続してきた利用者Ｂが既に登録されているそのグループを選択し参加したとする（ステップ８３）。この状態は、同じカラオケルームに入室した状態であり、この状態で、利用者Ａ、Ｂいずれかが音響データすなわち歌う曲の選択とともに（ステップ８４）背景の有無や広告の有無を選択すると、サーバ３２の各曲選択制御部３０３、４０３が該当する音響データ、歌詞データ、背景データ、広告データを選択する。
【００５３】
〔２−２−２．音声のミキシング〕
すると、選択された曲についてカラオケ演奏の音響データは各音響ストリーム送信制御部３０４、４０４から出力され、一方、利用者Ａ、ＢのマイクＭからの歌声など上り音声データは、各端末Ａ１、Ｂ５０１それぞれの音声ストリーム送信制御部６、５０６が送信してサーバ３２の各音声ストリーム受信制御部３０９、４０９が受信する（ステップ８５）。上り音声データは端末において、ＩＰ電話用広帯域ＣＯＤＥＣのうち送信側機能を利用して圧縮することが望ましい。
【００５４】
そして、これら音響データ（カラオケ）に対し、音声ストリーム送信制御部３１０、４１０を経た音声データ（歌声）を、音声ミキシング制御部３２０がミキシングして（ステップ８６）、端末Ａ１、Ｂ５０１の音響ストリーム受信制御部４、５０４へ音響ストリームとして配信する（ステップ８７）。これにより利用者ＡとＢは互いに相手の歌声を聴くことができる。
【００５５】
〔２−２−３．映像のミキシング〕
これと並行して、選択された曲の歌詞データは、各歌詞ストリーム制御部３０５、４０５が各端末Ａ１、Ｂ５０１の歌詞ストリーム受信制御部５、５０５へ歌詞ストリームとして配信し、選択された背景データと歌詞データはそれぞれの背景映像ストリーム送信制御部３０６、４０６、広告映像ストリーム送信制御部３０７、４０７から映像ミキシング制御部３０８、４０８を経由して映像をミキシングし（ステップ８６）、各端末Ａ１、Ｂ５０１の映像ストリーム受信制御部６、５０６へ映像ストリームとして配信する（ステップ８７）。利用者Ａ、Ｂはカラオケ配信サーバ３２から配信された各ストリームを使用して、さも同一の場所でカラオケを行なっているかのようにカラオケを行なうことができる。
【００５６】
〔２−３．第２実施形態の効果〕
以上のように、第２実施形態では、同じグループに参加している各ＩＰ電話端末へ、同じ音声や映像を配信することにより、カラオケ専用機器が不要なことに加え、各端末の利用者は互いに遠隔地にいても、一堂に会するのと同様にカラオケを楽しむことが可能となる。
【００５７】
特に、第２実施形態では、同じグループに参加して同じカラオケ曲を楽しんでいる各ＩＰ電話端末について、広帯域音声情報により、各利用者の歌声など上り音声をカラオケ曲の下り音声に多重ミキシングし再配信することにより、デュエットやパート別の合唱を容易に楽しむことが可能となり、笑い声、物音や、息遣いなども伝わるので、各利用者が互いに遠隔地にいても、臨場感溢れるカラオケを一緒に楽しむことが可能となる。
【００５８】
〔３．第３実施形態〕…録音
第３実施形態は、カラオケで歌った歌声をサーバに録音できるようにすることで、自分で聴いて練習に役立てたり、友人に聞かせるなど、多様な利用が可能となる例であり、図９は第３実施形態における構成図、図１０はサーバの詳細図、図１１は動作フロー例である。
【００５９】
〔３−１．第３実施形態の構成〕
第３実施形態におけるサーバ３３は、その制御部により録音制御部３４０の機能を実現し、この録音制御部３４０は、端末１から、広帯域音声情報による上り音声信号を受信するとともに、その上り音声信号を、又はその上り音声信号と広帯域音声情報によるカラオケ曲の前記音響ストリーム情報とを多重ミキシングした音声信号を録音する録音手段である。
【００６０】
〔３−２．第３実施形態の作用〕
第３実施形態において、利用者は、音響データを受信するためにサーバ３３に電話を掛けると、端末１の呼制御部２から発信し、インターネット２００を用いてＩＰ電話サービスを提供する事業者のＩＰ電話サーバ１００を経由して、サーバ３３の呼制御部３０２に着信し、通話路の接続を行なう点は第１実施形態と同様である。
【００６１】
続いて利用者が音響データを選択すると、サーバ３３の曲選択制御部３０３が該当する音響データを選択し、選択された音響データは音響ストリーム送信制御部３０４が端末１へ配信するとともに音声ミキシング制御部３２０へ渡す。一方、利用者の音声データは端末１の音声ストリーム送信制御部６が上り音声として送信しサーバ３３の音声ストリーム受信制御部３０９が受信して音声ストリーム送信制御部３１０から音声ミキシング制御部３２０へ渡す。この音声ミキシング制御部３２０がこれら音響データと音声データをミキシングし、録音制御部３４０がこれを録音する。
【００６２】
〔３−３．第３実施形態の効果〕
上記のように、第３実施形態では、ＩＰ電話端末からの歌声をサーバ上に録音して保存できることにより、自分で聴き直して練習に役立てたり、後刻、所望の相手に聴いてもらったり、皆で品評するなど、通常のカラオケを超えて、ネット上のデジタル音声利用による利点を活かした多様な楽しみ方が可能となる。
【００６３】
〔４．他の実施形態〕
なお、本発明は、上記のような従来技術に限定されるものではなく、以下に例示するもの及びそれ以外の例を含め、他の実施形態も包含するものである。例えば、サーバにおいて、どの利用者のＩＰ電話端末へどのカラオケ曲を配信したかの履歴を互いに関連付けて記録するとともに、前記履歴に基づいてカラオケ利用の課金処理を行う課金処理手段を設けてもよい。このように、利用者と配信した曲を記録し利用料の課金処理を行うことにより、必要な費用や適正な利潤を容易に効率よく確保することが可能となる。
【００６４】
また、ＩＰ電話端末は、単一ユニットの必要はなく、例えば従来のアナログ電話の回線側に設けるＩＰ電話機能のユニットとしてもよい。また、ＩＰ電話端末の表示部としては、例えばＴＶ電話用のような映像表示のできる液晶表示画面などでもよいし、映像を表示する機能は省いて歌詞の表示だけとする場合は、単なる文字だけを表示する機能のものでもよい。
【図面の簡単な説明】
【００６５】
【図１】本発明の第１実施形態の構成を示す機能ブロック図。
【図２】本発明の第１実施形態におけるサーバの具体的構成を示す図。
【図３】本発明の第１実施形態における音響ストリーム送信に関する処理手順を示すフローチャート。
【図４】本発明の第１実施形態における歌詞ストリーム送信に関する処理手順を示すフローチャート。
【図５】本発明の第１実施形態における映像ストリーム送信に関する処理手順を示すフローチャート。
【図６】本発明の第２実施形態の構成を示す機能ブロック図。
【図７】本発明の第２実施形態におけるサーバの具体的構成を示す図。
【図８】本発明の第２実施形態における処理手順を示すフローチャート。
【図９】本発明の第３実施形態の構成を示す機能ブロック図。
【図１０】本発明の第３実施形態におけるサーバの具体的構成を示す図。
【図１１】本発明の第３実施形態における処理手順を示すフローチャート。
【符号の説明】
【００６６】
１、５０１…ＩＰ電話端末
３１、３２、３３…カラオケ配信サーバシステム
２、３０２…呼制御部
４、５０４…音響ストリーム受信制御部
５、５０５…歌詞ストリーム受信制御部
６、５０６…映像ストリーム受信制御部
３０４、４０４…音響ストリーム送信制御部
３０５、４０５…歌詞ストリーム送信制御部
３０６、４０６…背景映像ストリーム送信制御部
【図１】
2006201272.tif 000003
【図２】
2006201272.tif 000004
【図３】
2006201272.tif 000005
【図４】
2006201272.tif 000006
【図５】
2006201272.tif 000007
【図６】
2006201272.tif 000008
【図７】
2006201272.tif 000009
【図８】
2006201272.tif 000010
【図９】
2006201272.tif 000011
【図１０】
2006201272.tif 000012
【図１１】
2006201272.tif 000013